(57)【要約】【課題】コンパクトな構成で、作業性がよく、また、コスト的にも有利な散水ホース用巻取機を提供することを課題とする。【解決手段】ホース２８を巻き取るための巻取リール２と、該巻取リール２の左右外側方に前後方向に向けて配置されて、該巻取リール２を軸支する左右一対の支持部材４・４と、各支持部材４の前端部に取り付けられた車輪５と、各支持部材４の前端部から下方へ延設された第１スタンド６と、該支持部材４・４の後端部に設けられたハンドル部材８と、該ハンドル部材８から垂設された第２スタンド９・９と、を備えた散水ホース用巻取機１とする。【選択図】      図１
2004284706.tif 000002
【特許請求の範囲】
【請求項１】
ホースを巻き取るための巻取リールと、
該巻取リールの左右外側方で前後方向に向けて配置されて、該巻取リールを軸支する左右一対の支持部材と、
該支持部材の前端部に取り付けられた車輪と、
該支持部材の前端部から下方へ延設された第１スタンドと、
該支持部材の後端部に設けられたハンドル部材と、
該ハンドル部材から垂設された第２スタンドと、
を備えたことを特徴とする散水ホース用巻取機。
【請求項２】
前記散水ホース用巻取機は、前記巻取リールの前方に、ホース内の水を抜く水抜手段を備えたことを特徴とする請求項１に記載の散水ホース用巻取機。
【請求項３】
前記巻取リールは、前記一対の支持部材間に着脱自在に取り付けられたことを特徴とする請求項１または請求項２に記載の散水ホース用巻取機。
【請求項４】
前記巻取リールを回転自在に支持する軸心部材は、同軸上に配置される２本の軸部材を備え、該２本の軸部材には対向する端部に互いに吸着する磁石を設けたことを特徴とする請求項３に記載の散水ホース用巻取機。
【発明の詳細な説明】
【０００１】
【発明の属する技術分野】
本発明は散水ホース用巻取機の構成に関する。
【０００２】
【従来の技術】
従来より、散水ホース用巻取機は多種多様のものが知られており、その巻取リールには、十数メートルから数十メートルのホースが巻回されていて、かなりの重量となり、これを持ち運ぶとなると、かなりの労力が要ることから、車輪を備えて押動式に構成された散水ホース用巻取機が発明されている。（例えば、特許文献１、特許文献２参照）
【０００３】
特許文献１に開示されている散水ホース用巻取機は、同文献の図１及び図４で示されるように、支持部材２に対して手押しハンドル１が斜め上方に突設され、該支持部材２の前端部に巻取リール４が軸支されて、該支持部材２の前後中途部から支持ブラケット８・８が垂設され、該支持ブラケット８・８の下端部に車輪３・３が取り付けられている。すなわち、車輪３・３は巻取リール４の後方に配置されており、該車輪３の車軸にプーリ１１が取り付けられて、該巻取リール４の回転軸にプーリ１２が取り付けられ、該プーリ１１・１２間にベルト１０が巻回されている。
以上のように散水ホース用巻取機が構成されており、この散水ホース用巻取機の全長は、巻取リールの直径の略３倍となっている。
【０００４】
また、特許文献２に開示されている散水ホース用巻取機は、同文献の図３及び図４で示されるように、前輪１・１と後輪２・２の四輪に支えられた架台を備え、該架台の後端に手押しハンドル４が設けられて、該手押しハンドル４近傍に手巻きハンドル１１が設けられ、該架台の前後中途部に巻取リール１０が軸支されている。すなわち、巻取リール１０は前輪１・１と後輪２・２の間に配置されており、該巻取リール１０と手巻きハンドル１１とがすくば歯車１２の組合せにより連結されている。
以上のように散水ホース用巻取機が構成されており、この散水ホース用巻取機の全長は、巻取リールの直径の３倍以上となっている。
【０００５】
【特許文献１】
実開平１−１６９５７４号公報
【特許文献２】
特開平５−３１１６２３号公報
【０００６】
【発明が解決しようとする課題】
しかしながら、これらの押動式の散水ホース用巻取機は比較的大型で、納屋などに収納するときもスペースをとり、あまり収納性が良いとは言えない。
そこで、本発明では、この点を鑑み、コンパクトな構成で、作業性がよく、また、コスト的にも有利な散水ホース用巻取機を提供することを課題とする。
【０００７】
【課題を解決するための手段】
本発明の解決しようとする課題は以上の如くであり、次にこの課題を解決するための手段を説明する。
まず、請求項１に記載のように、ホースを巻き取るための巻取リールと、該巻取リールの左右外側方で前後方向に向けて配置されて、該巻取リールを軸支する左右一対の支持部材と、該支持部材の前端部に取り付けられた車輪と、該支持部材の前端部から下方へ延設された第１スタンドと、該支持部材の後端部に設けられたハンドル部材と、該ハンドル部材から垂設された第２スタンドと、を備えた散水ホース用巻取機とする。
【０００８】
また、請求項２に記載のように、前記散水ホース用巻取機は、前記巻取リールの前方に、ホース内の水を抜く水抜手段を備えた構成とする。
【０００９】
そして、請求項３に記載のように、前記巻取リールは、前記一対の支持部材間に着脱自在に取り付けられるものとする。
【００１０】
さらに、請求項４に記載のように、前記巻取リールを回転自在に支持する軸心部材は、同軸上に配置される２本の軸部材を備え、該２本の軸部材には対向する端部に互いに吸着する磁石を設けた
【００１１】
【発明の実施の形態】
以下に、本発明の実施の一形態を、図面を参照しながら説明する。
図１は駐車状態の散水ホース用巻取機１の側面図、図２は傾倒状態の散水ホース用巻取機１の側面図、図３は散水ホース用巻取機１の平面図、図４は水抜手段３の側面図で、同図（ａ）は第１ローラ２１と第２ローラ２２を当接させた状態の水抜手段３の側面図、同図（ｂ）は第１ローラ２１と第２ローラ２２を離間させた状態の水抜手段３の側面図である。また、図５は水抜手段３の平面図、図６は軸心部材２０の平面図、図７は支持ブラケット４１の内側面図、図８は巻取リール２を取り外した状態の散水ホース用巻取機１の側面図である。
【００１２】
まず、散水ホース用巻取機１の構成について説明する。
図１に示すように、散水ホース用巻取機１は、ホース２８を巻き取るための巻取リール２と、該巻取リール２の左右外側方に前後方向に向けて配置されて、該巻取リール２を軸支する左右一対の支持部材４・４と、各支持部材４の前端部４ｂに取り付けられた車輪５と、各支持部材４の前端部４ｂから下方へ延設された第１スタンド６と、該一対の支持部材４・４の後端部に設けられたハンドル部材８と、該ハンドル部材８から垂設された第２スタンド９・９と、を備えて、移動自在に構成されている。
【００１３】
この散水ホース用巻取機１を移動させるときには、図２に示すように、作業者は手でハンドル部材８を持ち上げて、車輪５・５と地面との接点を中心に機体本体を上方へ回動させて、地面から第１スタンド６・６と第２スタンド９・９とを浮かせ、この状態でハンドル部材８を押すと、車輪５・５の転動により、散水ホース用巻取機１を容易に移動させることができるようになっている。
【００１４】
また、散水ホース用巻取機を駐車させるときには、図１に示すように、作業者は手で支持していたハンドル部材８を下して、車輪５・５と地面との接点を中心に機体本体を下方へ回動させて、第１スタンド６・６と第２スタンド９・９とを地面に当接させる。つまり、第１スタンド６を車輪５下端より下方に突出して接地させることで車輪５を浮かせるようにしている。この地面に当接した第１スタンド６・６と第２スタンド９・９とはストッパとして機能し、何かの拍子で散水ホース用巻取機１が動き出すことがないように、散水ホース用巻取機１を制動して、安全性の向上が図られている。
【００１５】
図１及び図３に示すように、前記一対の支持部材４・４は左右に等間隔を空けて平行に配置されており、各支持部材４は前後方向に延設された支持部４ａと、該支持部４ａの前端から下方へ延出された前端部４ｂとから成り、該前端部４ｂの下端位置に車輪５が回転軸心５ａを左右水平方向に向けて取り付けられている。
【００１６】
なお、本実施の形態では、車輪５・５は機体前端部に左右一対設けられているが、支持部材４・４の前端部４ｂ・４ｂ間に一輪だけ設ける構成としてもよく、車輪の配置位置及び配置数は特に限定はしないものとする。
【００１７】
この支持部材４・４の前後長さ（全長）は、巻取リール２の直径と略同長さに構成されており、該巻取リール２は該支持部材４・４の支持部４ａ・４ａの前後中央部に支持されていて、該巻取リール２は該支持部材４・４の前後両端間に配置されている。言い換えれば、巻取リール２は支持部材４・４から前方、又は後方のどちらへも突出しないように配置されている。
【００１８】
また、各支持部材４の前端部４ｂにおける後方側に、第１スタンド６が取り付けられており、該第１スタンド６は下方へ向けて延設されていて、ハンドル部材８を下げたときに、地面に接地するようになっている。
さらに、支持部材４・４の前端部４ｂ・４ｂから前方へ向けて、ホース２８内の水を抜くための水抜手段３が設けられている。この水抜手段３は巻取リール２の前方に配置されており、該水抜手段３の前後長さは該巻取リール２の直径の４分の１程度の長さに構成されている。この水抜手段３の詳細については、後述することとする。
【００１９】
前記ハンドル部材８は、平面視、「コ」字型の形状で、長手方向を左右方向に向けた連結部８ａと、該連結部８ａの左右両端部から後方へ延出された操作部８ｂ・８ｂとから成り、該ハンドル部材８の前後長さは、巻取リール２の直径の２分の１程度の長さに構成されている。
前記一対の支持部材４・４の後端は該連結部８ａの左右中央部に取り付けられており、該操作部８ｂ・８ｂの後端部にはハンドルグリップ１１・１１が取り付けられている。
【００２０】
以上のような構成で、散水ホース用巻取機１の前後長さ（全長）は、巻取リール２の直径と略同長さの支持フレーム４・４と、該支持フレーム４・４の前端部４ｂ・４ｂから前方へ巻取リール２の直径の４分の１程度の長さ突出する水抜手段３と、該支持フレーム４・４の後端から巻取リール２の直径の２分の１程度の長さ突出するハンドル部材８とで、巻取リール２の直径の２倍以下となり、コンパクトなレイアウトとなって、納屋などに収納するときもスペースをあまりとらず、収納性の向上が図られている。
【００２１】
また、ハンドル部材８の左右両方の操作部８ｂ・８ｂからは第２スタンド９・９が垂設されており、該第２スタンド９は、操作部８ｂから垂設されてロッド部材９ａと、該ロッド部９ａの下端に取り付けられたプレート部材９ｂから成り、ハンドル部材８を下げたときに、該プレート部材９ｂが地面に接地するように構成されている。
【００２２】
次に、水抜手段３の構成について説明する。
図１に示すように、水抜手段３は、巻取リール２の前方に配置される第１ローラ３１及び第２ローラ３２と、各支持部材４の前端部４ｂから前方へ延設されて、該第１ローラ３１を軸支する第１ローラ支持部材３３と、各支持部材４の支持部４ａの前部に回動自在に取り付けられて、該第２ローラ３２を軸支する第２ローラ支持部材３４と、該第１ローラ支持部材３３と該第２ローラ支持部材３４との間に介設されて、該第２ローラ３２を該第１ローラ３２へ圧接する圧縮バネ３５・３５と、を備えている。
【００２３】
なお、本実施の形態では、第１ローラ支持部材３３と第２ローラ支持部材３４との間に圧縮バネ３５を介設しているが、圧縮バネ３５に代わりに、他の弾性部材を介設してもよい。
【００２４】
図４及び図５に示すように、前記第１ローラ支持部材３３は、側面視、「Ｌ」字型の支保部材３３ａと、第１ローラ３１を軸支するブラケット３３ｂとから成り、該支保部材３３ａが支持部材４の前端部４ｂに取り付けられて、該支保部材３３ａの垂直部位にブラケット３３ｂが取り付けられている。
このようにして左右の支持部材４・４に第１ローラ支持部材３３・３３が固設されて、該左右の第１ローラ支持部材３３・３３のブラケット３３ｂ・３３ｂ間に第１ローラ３１が回転軸心３１ａを左右水平方向に向けて軸支されている。この第１ローラ３１はブラケット３３ｂの上部に配置されており、該ブラケット３３ｂの下部には上下方向に長い長孔３３ｃが形成されている。
【００２５】
前記第２ローラ支持部材３４は、左右一対のアーム部材３４ｂ・３４ｂと、該アーム部材３４ｂ・３４ｂの前端部間を連結する把手部材３４ａとから成り、平面視、「コ」字型に形成されて、該アーム部材３４ｂ・３４ｂの後端部が一対の支持部材４・４の支持部４ａ・４ａの前部に回動自在に取り付けられている。
【００２６】
前記第２ローラ３２は前記第１ローラ支持部材３３・３３のブラケット３３ｂ・３３ｂ間に配置されており、該ブラケット３３ｂ・３３ｂの左右外側方に第２ローラ支持部材３４のアーム部材３４ｂ・３４ｂが配置されていて、該第２ローラ３２の回転軸心３２ａが左右のブラケット３３ｂ・３３ｂの長孔３３ｃ・３３ｃに通され、アーム部材３４ｂ・３４ｂの前後中途部間に軸支されている。
【００２７】
以上のように水抜手段３が構成されており、通常は、圧縮バネ３５・３５により第２ローラ支持部材３４は上方へ付勢されていて、第２ローラ３２が第１ローラ３１に圧接している（図４（ａ）参照）。そして、作業者は、第２ローラ支持部材３４の把手部材３４ａを握り、該第２ローラ支持部材３４を下方へ回動させることで、第２ローラ３２と第１ローラ３１とのニップが解除されるようになっている（図４（ｂ）参照）。
【００２８】
散水後、ホース２８を巻取リール２０に巻き戻すときには、図１及び図３に示すように、巻取リール２の回転軸心に巻取ハンドル２５を取り付けるとともに、ホース２８を第１ローラ３１と第２ローラ３２で挟んでおき、該巻取ハンドル２５を回して巻取リール２にホース２８を巻き取っていくと、該第１ローラ３１と第２ローラ３２によりホース２８内に残る水がホースエンド側に送り出されて、ホースエンドから排出されるようになっており、作業性の向上が図られている。
【００２９】
そして、ホースエンドに取り付けられた金属製のカプラーが第１ローラ３１と第２ローラ３２とのニップ部に接近すると、作業者は把手部材３４ａを握って第２ローラ支持部材３４を下方へ回動して、第１ローラ３１と第２ローラ３２とを離間させ、該カプラーが該ローラ３１・３２間を通過できるようにしてやる。
以上、水抜手段３の一実施の形態であるが、水抜手段３の構成は、上記構成に限定するものではなく、他の構成であってもよい。
【００３０】
このように作業終了後に、巻取リール２を回転してホースを巻き取るときには、水抜手段３のローラ３１・３２によりホース２８は上下に押しつぶされながら巻き取られて、ホース２８内の水は押し出されて、運搬時に軽くすることができる。
【００３１】
次に、巻取リール２の構成について説明する。
この巻取リール２は支持部材４・４間に着脱自在に取り付けられており、交換可能に構成されている。
図３及び図７に示すように、左右の支持部材４・４の前後中途部には、支持ブラケット４１が立設されており、該支持ブラケット４１は、前プレート４１Ｆと、後プレート４１Ｒと、ガイドプレート４１Ｓとを備え、該前プレート４１Ｆと後プレート４１Ｒの間に受部４１ａが形成されて、該受部４１ａの左右外側方にガイドプレート４１Ｓが配置されている。すなわち、受部４１ａは前方と後方と左右外側方とをプレート４１Ｆ・４１Ｒ・４１Ｓに囲われて形成されている。
【００３２】
また、図１及び図８に示すように、巻取リール２の回転軸心には貫通穴２ａが形成されている。
図３及び図６に示すように、この軸心部材２０は同軸上に配置される左右の２本の軸部材２０Ｌ・２０Ｒを備え、該２本の軸部材２０Ｌ・２０Ｒには対向する側の内側端部に磁石２１・２１が設けられ、外側部にはベアリング２２・２２が周設されて、一方の軸部材２０Ｌを巻取リール２の回転軸心の貫通穴２ａの左側部へ着脱自在に挿入し、他方の軸部材２０Ｒを該巻取リール２の貫通穴２ａの右側部へ着脱自在に挿入して、該２本の軸部材２０Ｌ・２０Ｒの磁石２１・２１を吸着させる。
【００３３】
ベアリング２２は軸部材２０Ｌ（２０Ｒ）から半径外方向へ突出し（ベアリング２２は軸部材２０Ｌ・２０Ｒより大きく構成し）ていて、該ベアリング２２が支持部材４の前後中途部に設けた支持ブラケット４１の受部４１ａに嵌合するように配設されている。装着時は、巻取リール２の貫通孔２ａに、左右から軸部材２０Ｌ・２０Ｒを挿入して磁石２１・２１の吸着力により吸着した状態で抜けないようになっている。
【００３４】
以上のような構成で、軸部材２０Ｌ・２０Ｒを巻取リール２の軸心に挿入して、一対の支持部材４・４の支持ブラケット４１・４１の上方より受部４１ａ・４１ａ間に載置することで、専用の工具を使うことなく、簡単に取り付けることができるとともに簡単に取り外すことができて、作業性が向上する。そして、ベアリング２２・２２により巻取リール２は回転自在に支持されることになる。
【００３５】
このような構成で、巻取リール２の交換は容易に行うことができ、一対の支持部材４・４間には、用途に応じて巻取リール２を付け替えることができて、コスト的に有利となる。
【００３６】
【発明の効果】
本発明は、以上のように構成したので、次のような効果を奏する。
まず、請求項１に記載の発明では、散水ホース用巻取機は、ホースを巻き取るための巻取リールと、該巻取リールの左右外側方で前後方向に向けて配置されて、該巻取リールを軸支する左右一対の支持部材と、該支持部材の前端部に取り付けられた車輪と、該支持部材の前端部から下方へ延設された第１スタンドと、該支持部材の後端部に設けられたハンドル部材と、該ハンドル部材から垂設された第２スタンドと、を備えて、移動自在に構成されている。
この散水ホース用巻取機を移動させるときには、作業者は手でハンドル部材を持ち上げて、車輪と地面との接点を中心に機体本体を上方へ回動させて、地面から第１スタンドと第２スタンドとを浮かせ、この状態でハンドル部材を押すと車輪の転動により、該散水ホース用巻取機を容易に移動させることができる。
また、散水ホース用巻取機を駐車させるときには、手で支持していたハンドル部材を下して、車輪と地面との接点を中心に機体本体を下方へ回動させて、第１スタンドと第２スタンドとを地面に当接させる。この地面に当接した第１スタンドと第２スタンドとはストッパとして機能し、何かの拍子で散水ホース用巻取機が動き出すことがないように、散水ホース用巻取機１を制動して、安全性の向上が図られている。
さらに、この散水ホース用巻取機の全長は、巻取リールの直径の２倍以下で、コンパクトなレイアウトとなり、納屋などに収納するときもスペースをあまりとらず、収納性が向上する。
【００３７】
また、請求項２に記載の発明では、巻取リールでホースを巻き取りながら、水抜手段によってホース内に残る水が、ホースエンドから排出されるようになっており、作業性の向上が図られている。
【００３８】
そして、請求項３に記載の発明では、前記巻取リールは、前記一対の支持部材間に着脱自在に取り付けられる構成としたため、巻取リールの交換を容易に行うことができる。この一対の支持部材間には、用途に応じて巻取リールを付け替えることができ、コスト的に有利となる。
【００３９】
さらに、請求項４に記載の発明では、前記巻取リールを回転自在に支持する軸心部材は、同軸上に配置される２本の軸部材を備え、該２本の軸部材には対向する端部に互いに吸着する磁石を設けたことで、巻取リールを、一対の支持部材間に、専用の工具を使うことなく、簡単に取り付けることができるとともに簡単に取り外すことができ、また、請求項５に記載の発明は、請求項４に記載の発明と同様の効果を奏する。
【図面の簡単な説明】
【図１】駐車状態の散水ホース用巻取機１の側面図。
【図２】傾倒状態の散水ホース用巻取機１の側面図。
【図３】散水ホース用巻取機１の平面図。
【図４】水抜手段３の側面図。（ａ）は第１ローラ２１と第２ローラ２２を当接させた状態の水抜手段３の側面図。（ｂ）は第１ローラ２１と第２ローラ２２を離間させた状態の水抜手段３の側面図。
【図５】水抜手段３の平面図。
【図６】軸心部材２０の平面図。
【図７】支持ブラケット４１の内側面図。
【図８】巻取リール２を取り外した状態の散水ホース用巻取機１の側面図。
【符号の説明】
１    散水ホース用巻取機
２    巻取リール
２ａ  貫通穴
３    水抜手段
４    支持部材
５    車輪
６    第１スタンド
８    ハンドル部材
９    第２スタンド
２０    軸心部材
２０Ｌ  軸部材
２０Ｒ  軸部材
２１    磁石
２２    ベアリング
３１    第１ローラ
３２    第２ローラ
３３    第１ローラ支持部材
３４    第２ローラ支持部材
３５    圧縮バネ
４１    支持ブラケット
４１ａ  受部
【図１】
2004284706.tif 000003
【図２】
2004284706.tif 000004
【図３】
2004284706.tif 000005
【図４】
2004284706.tif 000006
【図５】
2004284706.tif 000007
【図６】
2004284706.tif 000008
【図７】
2004284706.tif 000009
【図８】
2004284706.tif 000010